(57)【特許請求の範囲】
【請求項１】
スリットを有し、前記スリットを設ける面に対して垂直方向にパネルに接触するパネル接触部が設けられ、当該パネル接触部と略平行であって前記パネルに接触しない位置にタップ穴が設けられた取付金具と、
前記スリットと掛合するツメを有するフロントカバーとを有し、
前記取付金具は、前記ツメと掛合するとともに前記パネル接触部が前記パネルを前記フロントカバーに押さえつけて固定し、前記タップ穴へのネジ止めによってバックカバーを取り付け可能であることを特徴とする表示装置。
【請求項２】
前記フロントカバーは、前記取付金具を案内するガイドリブを有することを特徴とする請求項１に記載の表示装置。
【請求項３】
前記取付金具は、絞り形状を有し、前記パネルの側面を押さえつけて固定することを特徴とする請求項１に記載の表示装置。
【請求項４】
前記スリットは、前記ツメが挿入されるに従いスリット幅が狭まる形状の傾斜部を有することを特徴とする請求項１に記載の表示装置。
【発明の詳細な説明】
【技術分野】
【０００１】
本発明は、表示装置に関する。
【背景技術】
【０００２】
従来の技術として、サイドマウント構造で狭額縁化した表示装置がある（例えば、特許文献１）。
【０００３】
この特許文献１の表示装置によると、側面にネジ挿通孔を有するフロントカバーと、側面にネジ止め孔を有するフレームと、フレームに設けられた空間部に保持されフロントカバーの内側に嵌合されて固定される液晶パネルと、フロントカバーの挿通孔を挿通してフレームのネジ止め孔に螺合しフロントカバーとフレームとを固定する固定ネジとを有する。フレームは、空間部とネジ止め孔とを、同一平面上に並べることなく構成されており、固定ネジの長さがフロントカバーの額縁幅に影響することがないため、フロントカバーを狭額縁化することができる。
【先行技術文献】
【特許文献】
【０００４】
【特許文献１】特開２００５−２４１９６４号公報
【発明の概要】
【発明が解決しようとする課題】
【０００５】
しかし、従来の表示装置によると、フレームは液晶パネルの側面を覆う形状を有するため、フレームの形状がフロントカバーの額縁幅に影響し、狭額縁化に限界がある。また、空間部とネジ止め孔とを、同一平面上に並べないため、表示装置の厚みが増加するという問題がある。
【０００６】
従って、本発明の目的は、フロントカバーの額縁幅に与える影響を抑えてパネルを固定できる表示装置を提供することにある。
【課題を解決するための手段】
【０００７】
（１）本発明は、上記目的を達成するため、スリットを有し、前記スリットを設ける面に対して垂直方向にパネルに接触するパネル接触部が設けられ、当該パネル接触部と略平行であって前記パネルに接触しない位置にタップ穴が設けられた取付金具と、前記スリットと掛合するツメを有するフロントカバーとを有し、前記取付金具は、前記ツメと掛合するとともに前記パネル接触部が前記パネルを前記フロントカバーに押さえつけて固定し、前記タップ穴へのネジ止めによってバックカバーを取り付け可能であることを特徴とする表示装置を提供する。
【０００８】
このような構成によれば、取付金具をフロンカバーに掛合させ、取付金具のパネル接触部でパネルを固定するため、ネジやボス等の固定部材を必要とせず、フロントカバーを狭額縁化することができる。
【発明の効果】
【０００９】
本発明によれば、フロントカバーの額縁幅に与える影響を抑えてパネルを固定できる。
【図面の簡単な説明】
【００１０】
【図１】本発明の実施の形態に係る液晶表示装置の構成を示す分解斜視図である。
【図２】本発明の実施の形態に係る液晶表示装置の構成の一部を示す斜視図である。
【図３】（ａ）〜（ｃ）は、本発明の実施の形態に係るスライド取付金具の取り付け手順を示す斜視図である。
【図４】（ａ）および（ｂ）は、本発明の実施の形態に係る液晶表示装置の構成を示す背面図および部分断面図である。
【発明を実施するための形態】
【００１１】
以下に、本発明の表示装置の実施の形態を、図面を参照して詳細に説明する。
【００１２】
（液晶表示装置の構成）
図１は、本発明の実施の形態に係る液晶表示装置の構成を示す分解斜視図である。
【００１３】
液晶表示装置１００は、筐体としてのフロントカバー１と、バックライトを含みユニット化された液晶パネル２と、液晶パネル２をフロントカバー１に固定する固定部材としてのスライド取付金具３ａ〜３ｄと、図示しない金具によりスライド取付金具３ａ〜ｄと連結されて固定されるとともに複数の制御用回路基板を搭載するシャーシ４と、スライド取付金具３ａ〜ｄに後述するネジで固定される筐体としてのバックカバー５とを有する。
【００１４】
図２は、本発明の実施の形態に係る液晶表示装置の構成の一部を示す斜視図である。
【００１５】
スライド取付金具３ａ〜３ｄは、液晶パネル２をフロントカバー１に嵌合させた後、スライド取付金具３ａ〜３ｄのそれぞれに設けられたスリット３０を、フロントカバー１に設けられたツメに掛合させることで液晶パネル２を固定することができる。スライド取付金具３ａは、まずｙａ方向にフロントカバー１に挿入し、次にｚａ方向にスライドすることで固定される。スライド取付金具３ｂは、まずｙｂ方向にフロントカバー１に挿入し、次にｚｂ方向にスライドすることで固定される。スライド取付金具３ｃは、まずｙｃ方向にフロントカバー１に挿入し、次にｘｃ方向にスライドすることで固定される。スライド取付金具３ｄは、まずｙｄ方向にフロントカバー１に挿入し、次にｘｄ方向にスライドすることで固定される。なお、ｚ方向は、液晶表示装置１００設置の際の上方向、ｙ方向は、液晶パネル２の前面方向を示す。
【００１６】
図３（ａ）〜（ｃ）は、本発明の実施の形態に係るスライド取付金具の取り付け手順を示す斜視図である。なお、スライド取付金具３ａ〜３ｄは同様の構成を有するため、以下では代表してスライド取付金具３ａおよびスライド取付金具３ｂについて説明している。
【００１７】
スライド取付金具３ａは、例えば、ＳＥＣＣ等の電気亜鉛メッキ鋼板をプレス加工して作成され、Ｔ字状に設けられたスリット３０と、スライド取付金具３ａの一部を曲げ加工することにより形成され、液晶パネル２をフロントカバー１に対して押さえつけるためのパネル接触部３１と、液晶パネル２を側面から支持する絞り形状３２と、パネル接触部３１と略平行であって液晶パネル２に接触しない位置にバックカバー５を後述するネジで固定するために設けられたタップ穴３３とを有する。
【００１８】
スリット３０は、図３に示す下方の縁に傾斜を有するスリット傾斜部３０ａと、ツメ１０と掛合した後スライド動作を完了させるスリットストッパ部３０ｂと、部材端部からスリット３０にかけて設けられ後述するツメ１０を導入するための開口部３０ｃとを有する。なお、スリット３０は、Ｔ字状の形状を有するため、反転することで同一部品をフロントカバー１の左右のそれぞれに使用することができる。つまり、スライド取付金具３ａとスライド取付金具３ｂを同一部品に、スライド取付金具３ｃとスライド取付金具３ｄを同一部品にすることができる。
【００１９】
フロントカバー１は、例えば、ＰＣ／ＡＢＳ樹脂やＡＢＳ樹脂等の材料によって形成され、スライド取付金具３ａのスリット３０と掛合するツメ１０と、スライド取付金具３ａをスライドする際の位置決めガイドとしてのガイドリブ１１とを有する。
【００２０】
まず、図３（ａ）に示すように、スライド取付金具３ａをフロントカバー１に差し込む際、開口部３０ｃを介してスリット３０にツメ１０が導入されるように挿入する。
【００２１】
次に、図３（ｂ）に示すように、スライド取付金具３ａをガイドリブ１１上でスライドさせ、ツメ１０の掛合部１０ａに引っ掛ける。ツメ１０は、スリット傾斜部３０ａと接する面が、図３（ｂ）の左側から右側にかけて下方に下がるように傾斜した傾斜面を有しており、スリット傾斜部３０ａに対してスライドして挿入することを容易とする。
【００２２】
次に、スライド取付金具３ａをスライドさせた後、図３（ｃ）に示すように、ツメ１０の左端がスリットストッパ部３０ｂに当たるまでスライドさせる。この状態において、ツメ１０の傾斜形状とスリット傾斜部３０ａとが嵌合し、ツメ１０とスライド取付金具３ａとの掛合が確実となる。
【００２３】
図４（ａ）および（ｂ）は、本発明の実施の形態に係る液晶表示装置の構成を示す背面図および部分断面図である。
【００２４】
図４（ａ）は、スライド取付金具３ａ〜３ｄをフロントカバー１に取り付けた後の液晶表示装置１００の背面を示している。なお、バックカバー５は、取り付けられていない。また、シャーシ４に対しブラケット７を介してスタンド６が取り付けられる。
【００２５】
図４（ｂ）は、図４（ａ）のＡ−Ａにおける部分断面図である。図４（ｂ）においては、バックカバー５を取り付けた状態を示す。液晶パネル２は、フロントカバー１に嵌合しており、フロントカバー１に掛合しているスライド取付金具３ｂは、パネル接触部３１が液晶パネル２を図面の下方に押さえつけ、絞り形状３２が液晶パネル２を図面の左方へ押さえつけることにより固定している。バックカバー５は、フロントカバー１と嵌合し、ネジ３３Ａによりスライド取付金具３ｂのタップ穴３３に固定されている。ここで、Ｂは、フロントカバーの額縁部分の幅を示しており、ｂは、額縁部分の幅から液晶パネル２の重なっている部分を差し引いた幅である。
【００２６】
上記した実施の形態によると、板状のスライド取付金具３ｂをフロントカバー１に掛合させ、スライド取付金具３ｂのパネル接触部３１で液晶パネル２を固定するとともに、タップ穴３３にバックカバー５をネジ３３Ａで固定したため、フロントカバー１にバックカバー５取付用の固定ボスを必要とせず、額縁部分の幅から液晶パネル２の重なっている部分を差し引いた幅を狭めることができる。そのため、フロントカバー１を狭額縁化することができる。
【符号の説明】
【００２７】
１…フロントカバー、２…液晶パネル、３ａ-３ｄ…スライド取付金具、４…シャーシ、５…バックカバー、１０…ツメ、１０ａ…掛合部、１１…ガイドリブ、３０…スリット、３０ａ…スリット傾斜部、３０ｂ…スリットストッパ部、３０ｃ…開口部、３１…パネル接触部、３２…絞り形状、３３…タップ穴、３３Ａ…ネジ、１００…液晶表示装置
【図１】
0005417519.tif 000002
【図２】
0005417519.tif 000003
【図３】
0005417519.tif 000004
【図４】
0005417519.tif 000005